(57)【要約】  機能性の低下を来たすことなく、操作リングに関する高い操作性を確保する。  回転操作される操作リングの回転力によって動作されると共に操作リングの回転力を光学素子に伝達して光学素子を動作させる連動体を備え、少なくとも連動体に操作リングの回転方向に対する光学素子の動作方向を切り換える切換機構が設けられた。これにより、切換機構によって操作リングの回転方向に対する光学素子の動作方向が切り換えられると共に連動体により伝達される操作リングの回転力によって光学素子が動作されるため、操作リングに対する操作に対して光学素子が追従して動作され光学素子の動作遅延が生じ難く、機能性の低下を来たすことなく、操作リングに関する高い操作性を確保することができる。
2018047460.tif 000002
【特許請求の範囲】
【請求項１】
回転操作される操作リングの回転力によって動作されると共に前記操作リングの回転力を光学素子に伝達して前記光学素子を動作させる連動体を備え、
少なくとも前記連動体に前記操作リングの回転方向に対する前記光学素子の動作方向を切り換える切換機構が設けられた
光学素子駆動装置。
【請求項２】
前記操作リングを回転させて前記光学素子を動作させる動作モードと前記操作リングを回転させて前記光学素子の動作方向を切り換える切換遷移モードとの設定が可能とされ、
前記動作モードと前記切換遷移モードの変更を行うモード変更スイッチが設けられた
請求項１に記載の光学素子駆動装置。
【請求項３】
前記操作リングが外側リングと前記外側リングの内側に位置される内側リングとを有し、
前記動作モードにおいて前記外側リングと前記内側リングが一体に回転可能とされ、
前記切換遷移モードにおいて前記外側リングが前記内側リングに対して回転されることにより前記切換機構が動作される
請求項２に記載の光学素子駆動装置。
【請求項４】
前記内側リングが前記切換遷移モードにおいて前記外側リングに対して前記回転方向と異なる方向へ第１の位置と第２の位置の間で移動可能とされ、
前記内側リングの移動位置に応じて前記光学素子の動作方向が切り換えられる
請求項３に記載の光学素子駆動装置。
【請求項５】
前記外側リングと前記内側リングには一方にカム溝が形成され他方に前記カム溝に摺動自在に係合されるカムピンが設けられ、
前記外側リングの前記内側リングに対する回転に伴う前記カムピンの前記カム溝に対する位置の変化により前記内側リングが前記第１の位置と前記第２の位置の間で移動される
請求項４に記載の光学素子駆動装置。
【請求項６】
反転ギヤを有し前記連動体を回転自在に支持する固定体が設けられ、
前記操作リングには前記反転ギヤに噛合可能な伝達ギヤが形成され、
前記伝達ギヤが前記反転ギヤと噛合された状態において前記操作リングと前記連動体が反対方向へ回転され、
前記伝達ギヤが前記反転ギヤと噛合されていない状態において前記操作リングと前記連動体が同じ方向へ回転される
請求項１に記載の光学素子駆動装置。
【請求項７】
前記連動体に前記操作リングと連結可能な連動ピンが設けられ、
前記連動ピンが前記操作リングと連結された状態において前記連動体が前記操作リングと一体になって回転され、
前記連動ピンの前記操作リングとの連結が解除された状態において前記伝達ギヤが前記反転ギヤと噛合される
請求項６に記載の光学素子駆動装置。
【請求項８】
前記連動体に前記反転ギヤと噛合された駆動ギヤが形成され、
前記伝達ギヤが前記反転ギヤと噛合された状態において前記操作リングの前記回転力が前記伝達ギヤと前記反転ギヤを介して前記連動体に伝達される
請求項６に記載の光学素子駆動装置。
【請求項９】
前記伝達ギヤが前記回転方向に延びる形状に形成され、
前記伝達ギヤが前記反転ギヤと噛合された状態において前記伝達ギヤが前記駆動ギヤの外側に位置される
請求項８に記載の光学素子駆動装置。
【請求項１０】
前記光学素子は互いに反対の第１の方向と第２の方向への動作が可能とされ、
前記操作リングが第１の回転操作範囲において一方に回転されることにより前記光学素子が前記第１の方向へ動作されると共に他方に回転されることにより前記光学素子が前記第２の方向へ動作され、
前記操作リングが第２の回転操作範囲において一方に回転されることにより前記光学素子が前記第２の方向へ動作されると共に他方に回転されることにより前記光学素子が前記第１の方向へ動作される
請求項１に記載の光学素子駆動装置。
【請求項１１】
前記操作リングには前記第１の回転操作範囲と前記第２の回転操作範囲を示す目盛りが前記回転方向において離隔した位置にそれぞれ付された
請求項１０に記載の光学素子駆動装置。
【請求項１２】
前記操作リングは互いに反対の第１の回転方向と第２の回転方向への回転が可能とされ、
前記光学素子は互いに反対の第１の方向と第２の方向への動作が可能とされ、
前記切換機構によって第１の動作モードと第２の動作モードの切換が行われ、
前記第１の動作モードにおいて前記操作リングの前記第１の回転方向への回転時に前記光学素子が前記第１の方向へ動作されると共に前記操作リングの前記第２の回転方向への回転時に前記光学素子が前記第２の方向へ動作され、
前記第２の動作モードにおいて前記操作リングの前記第１の回転方向への回転時に前記光学素子が前記第２の方向へ動作されると共に前記操作リングの前記第２の回転方向への回転時に前記光学素子が前記第１の方向へ動作される
請求項１に記載の光学素子駆動装置。
【請求項１３】
前記光学素子としてレンズ又はレンズ群が設けられ、
前記第１の動作モードとして動画の撮影状態が設定され、
前記第２の動作モードとして静止画の撮影状態が設定される
請求項１２に記載の光学素子駆動装置。
【請求項１４】
手動による前記操作リングに対する回転操作によって前記光学素子が動作されるマニュアル状態と駆動モーターによる駆動力によって前記光学素子が動作されるオート状態との切換が可能にされ、
前記第１の動作モードと前記第２の動作モードを検出する検出部が設けられ、
前記検出部の検出結果に基づいて前記オート状態における前記光学素子の動作速度が制御される
請求項１２に記載の光学素子駆動装置。
【請求項１５】
手動による前記操作リングに対する回転操作によって前記光学素子が動作されるマニュアル状態と駆動モーターによる駆動力によって前記光学素子が動作されるオート状態との切換が可能にされ、
前記光学素子としてズーミング用のレンズ又はレンズ群が設けられ、
前記第１の動作モードと前記第２の動作モードを検出する検出部が設けられ、
前記検出部の検出結果に基づいて前記オート状態における前記光学素子の動作速度に関し前記第１の動作モードが前記第２の動作モードより低下する制御が行われる
請求項１３に記載の光学素子駆動装置。
【請求項１６】
手動による前記操作リングに対する回転操作によって前記光学素子が動作されるマニュアル状態と駆動モーターによる駆動力によって前記光学素子が動作されるオート状態との切換が可能にされ、
前記光学素子としてフォーカシング用のレンズ又はレンズ群が設けられ、
前記第１の動作モードと前記第２の動作モードを検出する検出部が設けられ、
前記検出部の検出結果に基づいて前記オート状態における前記光学素子の動作速度に関し前記第１の動作モードが前記第２の動作モードより低下する制御が行われる
請求項１３に記載の光学素子駆動装置。
【請求項１７】
手動による前記操作リングに対する回転操作によって前記光学素子が動作されるマニュアル状態と駆動モーターによる駆動力によって前記光学素子が動作されるオート状態との切換が可能にされ、
前記光学素子としてアイリス羽根が設けられ、
前記第１の動作モードと前記第２の動作モードを検出する検出部が設けられ、
前記検出部の検出結果に基づいて前記オート状態における前記光学素子の動作速度に関し前記第１の動作モードが前記第２の動作モードより低下する制御が行われる
請求項１３に記載の光学素子駆動装置。
【請求項１８】
前記連動体に前記第１の動作モードにおいて前記光学素子を動作させる第１の動作部と前記第２の動作モードにおいて前記光学素子を動作させる第２の動作部とが形成された
請求項１２に記載の光学素子駆動装置。
【請求項１９】
前記連動体として前記操作リングと同じ方向へ回転されるカム環が設けられ、
前記第１の動作部と前記第２の動作部が前記連動体の回転方向に離隔して対称な形状に形成された
請求項１８に記載の光学素子駆動装置。
【請求項２０】
筒状の筐体の内部に光学素子の駆動を行う光学素子駆動装置が配置され、
前記光学素子駆動装置は、
回転操作される操作リングの回転力によって動作されると共に前記操作リングの回転力を前記光学素子に伝達して前記光学素子を動作させる連動体を備え、
少なくとも前記連動体に前記操作リングの回転方向に対する前記光学素子の動作方向を切り換える切換機構が設けられた
交換レンズ。
【請求項２１】
光学素子の駆動を行う光学素子駆動装置と光学系を介して取り込まれた光学像を電気的信号に変換する撮像素子とを備え、
前記光学素子駆動装置は、
回転操作される操作リングの回転力によって動作されると共に前記操作リングの回転力を前記光学素子に伝達して前記光学素子を動作させる連動体を備え、
少なくとも前記連動体に前記操作リングの回転方向に対する前記光学素子の動作方向を切り換える切換機構が設けられた
撮像装置。
【発明の詳細な説明】
【技術分野】
【０００１】
本技術は回転操作される操作リングの回転力によって光学素子を動作させる光学素子駆動装置、これを備えた交換レンズ及び撮像装置についての技術分野に関する。
【背景技術】
【０００２】
ビデオカメラやスチルカメラ等の各種の撮像装置や交換レンズ等の撮影に用いられる構造には、内部にレンズやレンズ群等の各種の光学素子等を有する光学系が配置されている。【０００３】
このような構造においては、光学素子が光学素子駆動装置によって光軸方向（軸方向）へ移動され、例えば、ズーミングやフォーカシング等が行われる。また、光学素子駆動装置によって光学素子であるアイリス等の羽根部材が動作されて撮像素子に対する光の取込量が調節される構造も存在する。【０００４】
例えば、ズーミングやフォーカシング等の動作は、ズームリングやフォーカスリング等の操作リングが回転され、操作リングの回転量及び回転方向に応じてレンズ群等が光軸方向へ移動されることにより行われる。【０００５】
上記のような撮像装置や交換レンズにおいては、近年、機能性が向上し、例えば、静止画の撮影のみならず動画の撮影も行うことが可能にされたものが普及しているが、撮像装置や交換レンズの種類等によっては操作リングの回転方向によって実行される機能が異なる場合がある。【０００６】
例えば、操作リングが時計回り方向へ回転されることによりレンズ群等が望遠側から広角側に移動され操作リングが反時計回り方向へ回転されることによりレンズ群等が広角側から望遠側に移動されるタイプが存在する一方、操作リングが反時計回り方向へ回転されることによりレンズ群等が望遠側から広角側に移動され操作リングが時計回り方向へ回転されることによりレンズ群等が広角側から望遠側に移動されるタイプが存在する。【０００７】
また、静止画撮影時及び動画撮影時の何れの撮影時においても、操作リングが一方に回転されることによりレンズ群等が広角側から望遠側に移動されるタイプも存在する。【０００８】
このような操作リングの回転方向によって実行される機能が相違すると、使用時において操作リングに対する回転方向に関する誤操作が生じ撮影機会を逸する等の不具合を生じるおそれもあり、良好な操作性が確保されない可能性がある。【０００９】
そこで、従来の撮像装置や交換レンズには、操作リングに関する高い操作性を確保するために、操作リングの回転方向に対する光学素子の動作方向を切り換えることが可能にされたものがある（例えば、特許文献１参照）。【００１０】
特許文献１に記載された撮像装置にあっては、方向切換スイッチに対する操作によって操作リングの回転方向に応じた光学素子の移動方向を予め設定することが可能である。特許文献１に記載された撮像装置においては、操作リングの回転時に検出部によって操作リングの回転方向と回転量が検出され、検出部の検出結果に基づいて制御回路によって駆動モーター（アクチュエーター）が制御され、駆動モーターの駆動力によって光学素子が光軸方向へ移動される。このとき光学素子は予め設定された方向に応じた方向へ移動される。【００１１】
例えば、方向切換スイッチに対する操作によって操作リングが時計回り方向へ回転されたときに光学素子の移動方向が望遠側から広角側になるように設定された場合に、検出部によって操作リングが時計回り方向へ回転されたことが検出されると、制御回路によって駆動モーターが光学素子を望遠側から広角側に移動させる制御が行われ、光学素子が望遠側から広角側に移動される。一方、検出部によって操作リングが反時計回り方向へ回転されたことが検出されると、制御回路によって駆動モーターが光学素子を広角側から望遠側に移動させる制御が行われ、光学素子が広角側から望遠側に移動される。【００１２】
このように、操作リングの回転方向に対する光学素子の動作方向を切り換えることにより、使用者の意図に応じた機能を実行させることが可能であり、操作リングに関する高い操作性を確保することが可能である。
【先行技術文献】
【特許文献】
【００１３】
【特許文献１】特開平６−２８９４７５号公報
【発明の概要】
【発明が解決しようとする課題】
【００１４】
ところが、特許文献１に記載された撮像装置においては、操作リングの回転方向等が検出部によって検出され、検出部の検出結果に基づいて駆動モーターが制御される構成にされている。【００１５】
従って、操作リングの回転操作に対する検出部の検出と検出部の検出結果に応じた駆動モーターに対する制御が続いて行われるため、制御の遅延が生じる可能性がある。このような遅延が生じると、使用者による操作リングに対する操作に対して光学素子の移動が追従されず、操作性の低下を来たすおそれがある。【００１６】
そこで、本技術光学素子駆動装置、交換レンズ及び撮像装置は、上記した問題点を克服し、機能性の低下を来たすことなく、操作リングに関する高い操作性を確保することを目的とする。
【課題を解決するための手段】
【００１７】
第１に、本技術に係る光学素子駆動装置は、回転操作される操作リングの回転力によって動作されると共に前記操作リングの回転力を光学素子に伝達して前記光学素子を動作させる連動体を備え、少なくとも前記連動体に前記操作リングの回転方向に対する前記光学素子の動作方向を切り換える切換機構が設けられたものである。【００１８】
これにより、切換機構によって操作リングの回転方向に対する光学素子の動作方向が切り換えられると共に連動体により伝達される操作リングの回転力によって光学素子が動作される。【００１９】
第２に、上記した本技術に係る光学素子駆動装置においては、前記操作リングを回転させて前記光学素子を動作させる動作モードと前記操作リングを回転させて前記光学素子の動作方向を切り換える切換遷移モードとの設定が可能とされ、前記動作モードと前記切換遷移モードの変更を行うモード変更スイッチが設けられることが望ましい。【００２０】
これにより、モード変更スイッチに対する操作によって動作モードと切換遷移モードのモード変更が行われる。【００２１】
第３に、上記した本技術に係る光学素子駆動装置においては、前記操作リングが外側リングと前記外側リングの内側に位置される内側リングとを有し、前記動作モードにおいて前記外側リングと前記内側リングが一体に回転可能とされ、前記切換遷移モードにおいて前記外側リングが前記内側リングに対して回転されることにより前記切換機構が動作されることが望ましい。【００２２】
これにより、モード変更スイッチに対する操作によって外側リングの内側リングに対する回転状態が変更されて切換機構の動作状態が変更される。【００２３】
第４に、上記した本技術に係る光学素子駆動装置においては、前記内側リングが前記切換遷移モードにおいて前記外側リングに対して前記回転方向と異なる方向へ第１の位置と第２の位置の間で移動可能とされ、前記内側リングの移動位置に応じて前記光学素子の動作方向が切り換えられることが望ましい。【００２４】
これにより、内側リングが第１の位置又は第２の位置に移動されることにより光学素子の動作方向が切り換えられる。【００２５】
第５に、上記した本技術に係る光学素子駆動装置においては、前記外側リングと前記内側リングには一方にカム溝が形成され他方に前記カム溝に摺動自在に係合されるカムピンが設けられ、前記外側リングの前記内側リングに対する回転に伴う前記カムピンの前記カム溝に対する位置の変化により前記内側リングが前記第１の位置と前記第２の位置の間で移動されることが望ましい。【００２６】
これにより、外側リングが内側リングに対して回転されてカムピンのカム溝に対する位置が変化されることにより内側リングが第１の位置又は第２の位置に移動される。【００２７】
第６に、上記した本技術に係る光学素子駆動装置においては、反転ギヤを有し前記連動体を回転自在に支持する固定体が設けられ、前記操作リングには前記反転ギヤに噛合可能な伝達ギヤが形成され、前記伝達ギヤが前記反転ギヤと噛合された状態において前記操作リングと前記連動体が反対方向へ回転され、前記伝達ギヤが前記反転ギヤと噛合されていない状態において前記操作リングと前記連動体が同じ方向へ回転されることが望ましい。【００２８】
これにより、伝達ギヤが反転ギヤに噛合された状態と伝達ギヤが反転ギヤに噛合されていない状態とによって操作リングの回転方向に対する連動体の回転方向が反対方向にされる。【００２９】
第７に、上記した本技術に係る光学素子駆動装置においては、前記連動体に前記操作リングと連結可能な連動ピンが設けられ、前記連動ピンが前記操作リングと連結された状態において前記連動体が前記操作リングと一体になって回転され、前記連動ピンの前記操作リングとの連結が解除された状態において前記伝達ギヤが前記反転ギヤと噛合されることが望ましい。【００３０】
これにより、連動ピンが操作リングに連結された状態と連動ピンの操作リングとの連結が解除され伝達ギヤが反転ギヤと噛合された状態とで操作リングの回転方向に対する連動体の回転方向が反対方向にされる。【００３１】
第８に、上記した本技術に係る光学素子駆動装置においては、前記連動体に前記反転ギヤと噛合された駆動ギヤが形成され、前記伝達ギヤが前記反転ギヤと噛合された状態において前記操作リングの前記回転力が前記伝達ギヤと前記反転ギヤを介して前記連動体に伝達されることが望ましい。【００３２】
これにより、伝達ギヤが反転ギヤと噛合され駆動ギヤが反転ギヤと噛合された状態において操作リングの回転力が伝達ギヤ及び反転ギヤを介して連動体に伝達される。【００３３】
第９に、上記した本技術に係る光学素子駆動装置においては、前記伝達ギヤが前記回転方向に延びる形状に形成され、前記伝達ギヤが前記反転ギヤと噛合された状態において前記伝達ギヤが前記駆動ギヤの外側に位置されることが望ましい。【００３４】
これにより、伝達ギヤが反転ギヤと噛合され駆動ギヤが反転ギヤと噛合された状態において環状に形成された伝達ギヤが駆動ギヤの外側に位置される。【００３５】
第１０に、上記した本技術に係る光学素子駆動装置においては、前記光学素子は互いに反対の第１の方向と第２の方向への動作が可能とされ、前記操作リングが第１の回転操作範囲において一方に回転されることにより前記光学素子が前記第１の方向へ動作されると共に他方に回転されることにより前記光学素子が前記第２の方向へ動作され、前記操作リングが第２の回転操作範囲において一方に回転されることにより前記光学素子が前記第２の方向へ動作されると共に他方に回転されることにより前記光学素子が前記第１の方向へ動作されることが望ましい。【００３６】
これにより、操作リングが異なる回転操作範囲において回転されることにより光学素子が反対方向へ動作される。【００３７】
第１１に、上記した本技術に係る光学素子駆動装置においては、前記操作リングには前記第１の回転操作範囲と前記第２の回転操作範囲を示す目盛りが前記回転方向において離隔した位置にそれぞれ付されることが望ましい。【００３８】
これにより、回転方向において離隔した位置にそれぞれの回転操作範囲を示す目盛りが存在する。【００３９】
第１２に、上記した本技術に係る光学素子駆動装置においては、前記操作リングは互いに反対の第１の回転方向と第２の回転方向への回転が可能とされ、前記光学素子は互いに反対の第１の方向と第２の方向への動作が可能とされ、前記切換機構によって第１の動作モードと第２の動作モードの切換が行われ、前記第１の動作モードにおいて前記操作リングの前記第１の回転方向への回転時に前記光学素子が前記第１の方向へ動作されると共に前記操作リングの前記第２の回転方向への回転時に前記光学素子が前記第２の方向へ動作され、前記第２の動作モードにおいて前記操作リングの前記第１の回転方向への回転時に前記光学素子が前記第２の方向へ動作されると共に前記操作リングの前記第２の回転方向への回転時に前記光学素子が前記第１の方向へ動作されることが望ましい。【００４０】
これにより、第１の動作モードと第２の動作モードにおいて操作リングの同一の回転方向に対して光学素子が反対方向へ動作される。【００４１】
第１３に、上記した本技術に係る光学素子駆動装置においては、前記光学素子としてレンズ又はレンズ群が設けられ、前記第１の動作モードとして動画の撮影状態が設定され、前記第２の動作モードとして静止画の撮影状態が設定されることが望ましい。【００４２】
これにより、静止画の撮影時と動画の撮影時とにおいて光学素子が反対方向へ移動される。【００４３】
第１４に、上記した本技術に係る光学素子駆動装置においては、手動による前記操作リングに対する回転操作によって前記光学素子が動作されるマニュアル状態と駆動モーターによる駆動力によって前記光学素子が動作されるオート状態との切換が可能にされ、前記第１の動作モードと前記第２の動作モードを検出する検出部が設けられ、前記検出部の検出結果に基づいて前記オート状態における前記光学素子の動作速度が制御されることが望ましい。【００４４】
これにより、第１の動作モードと第２の動作モードにおいて光学素子とフォーカスレンズ群の動作速度に関してオート状態でのそれぞれ最適な制御を行うことが可能になる。【００４５】
第１５に、上記した本技術に係る光学素子駆動装置においては、手動による前記操作リングに対する回転操作によって前記光学素子が動作されるマニュアル状態と駆動モーターによる駆動力によって前記光学素子が動作されるオート状態との切換が可能にされ、前記光学素子としてズーミング用のレンズ又はレンズ群が設けられ、前記第１の動作モードと前記第２の動作モードを検出する検出部が設けられ、前記検出部の検出結果に基づいて前記オート状態における前記光学素子の動作速度に関し前記第１の動作モードが前記第２の動作モードより低下する制御が行われることが望ましい。【００４６】
これにより、光学素子の動作速度に関し第１の動作モードが第２の動作モードより低下する制御が行われ、動画の撮影状態において質の高い撮影画像を確保することが可能になると共に静止画の撮影状態において迅速な撮影機会を確保することが可能になる。【００４７】
第１６に、上記した本技術に係る光学素子駆動装置においては、手動による前記操作リングに対する回転操作によって前記光学素子が動作されるマニュアル状態と駆動モーターによる駆動力によって前記光学素子が動作されるオート状態との切換が可能にされ、前記光学素子としてフォーカシング用のレンズ又はレンズ群が設けられ、前記第１の動作モードと前記第２の動作モードを検出する検出部が設けられ、前記検出部の検出結果に基づいて前記オート状態における前記光学素子の動作速度に関し前記第１の動作モードが前記第２の動作モードより低下する制御が行われることが望ましい。【００４８】
これにより、フォーカスレンズ群の動作速度に関し第１の動作モードが第２の動作モードより低下する制御が行われ、動画の撮影状態において質の高い撮影画像を確保することが可能になると共に静止画の撮影状態において迅速な撮影機会を確保することが可能になる。【００４９】
第１７に、上記した本技術に係る光学素子駆動装置においては、手動による前記操作リングに対する回転操作によって前記光学素子が動作されるマニュアル状態と駆動モーターによる駆動力によって前記光学素子が動作されるオート状態との切換が可能にされ、前記光学素子としてアイリス羽根が設けられ、前記第１の動作モードと前記第２の動作モードを検出する検出部が設けられ、前記検出部の検出結果に基づいて前記オート状態における前記光学素子の動作速度に関し前記第１の動作モードが前記第２の動作モードより低下する制御が行われることが望ましい。【００５０】
これにより、アイリス羽根の動作速度に関し第１の動作モードが第２の動作モードより低下する制御が行われ、動画の撮影状態において質の高い撮影画像を確保することが可能になると共に静止画の撮影状態において迅速な撮影機会を確保することが可能になる。【００５１】
第１８に、上記した本技術に係る光学素子駆動装置においては、前記連動体に前記第１の動作モードにおいて前記光学素子を動作させる第１の動作部と前記第２の動作モードにおいて前記光学素子を動作させる第２の動作部とが形成されることが望ましい。【００５２】
これにより、第１の動作モードと第２の動作モードにおいて、連動体の回転方向に応じて光学素子がそれぞれ第１の動作部と第２の動作部によって各方向へ移動される。【００５３】
第１９に、上記した本技術に係る光学素子駆動装置においては、前記連動体として前記操作リングと同じ方向へ回転されるカム環が設けられ、前記第１の動作部と前記第２の動作部が前記連動体の回転方向に離隔して対称な形状に形成されることが望ましい。【００５４】
これにより、第１の動作モードと第２の動作モードにおいて光学素子がそれぞれ連動体の回転方向に離隔して対称な形状に形成された第１の動作部と第２の動作部によって各方向へ移動される。【００５５】
第２０に、本技術に係る交換レンズは、筒状の筐体の内部に光学素子の駆動を行う光学素子駆動装置が配置され、前記光学素子駆動装置は、回転操作される操作リングの回転力によって動作されると共に前記操作リングの回転力を前記光学素子に伝達して前記光学素子を動作させる連動体を備え、少なくとも前記連動体に前記操作リングの回転方向に対する前記光学素子の動作方向を切り換える切換機構が設けられたものである。【００５６】
これにより、光学素子駆動装置において、切換機構によって操作リングの回転方向に対する光学素子の動作方向が切り換えられると共に連動体により伝達される操作リングの回転力によって光学素子が動作される。【００５７】
第２１に、本技術に係る撮像装置は、光学素子の駆動を行う光学素子駆動装置と光学系を介して取り込まれた光学像を電気的信号に変換する撮像素子とを備え、前記光学素子駆動装置は、回転操作される操作リングの回転力によって動作されると共に前記操作リングの回転力を前記光学素子に伝達して前記光学素子を動作させる連動体を備え、少なくとも前記連動体に前記操作リングの回転方向に対する前記光学素子の動作方向を切り換える切換機構が設けられたものである。【００５８】
これにより、光学素子駆動装置において、切換機構によって操作リングの回転方向に対する光学素子の動作方向が切り換えられると共に連動体により伝達される操作リングの回転力によって光学素子が動作される。
【発明の効果】
【００５９】
本技術によれば、切換機構によって操作リングの回転方向に対する光学素子の動作方向が切り換えられると共に連動体により伝達される操作リングの回転力によって光学素子が動作されるため、操作リングに対する操作に対して光学素子が追従して動作され光学素子の動作遅延が生じ難く、機能性の低下を来たすことなく、操作リングに関する高い操作性を確保することができる。【００６０】
尚、本明細書に記載された効果はあくまでも例示であって限定されるものではなく、他の効果があってもよい。
【図面の簡単な説明】
【００６１】
【図１】図２乃至図２７と共に本技術光学素子駆動装置、交換レンズ及び撮像装置の実施の形態を示すものであり、本図は、交換レンズと装置本体を分離して示す撮像装置の斜視図である。
【図２】交換レンズを示す側面図である。
【図３】交換レンズの構造を一部省略して示す分解斜視図である。
【図４】交換レンズの構造を一部省略して示す斜視図である。
【図５】固定体の側面図である。
【図６】指標部とマークの関係を示す展開図である。
【図７】第２の操作リングの分解斜視図である。
【図８】内側リングの側面図である。
【図９】内側リングの背面図である。
【図１０】内側リングの正面図である。
【図１１】図１２乃至図１７と共に交換レンズにおける動作を示すものであり、本図は、第１の動作モードにおいて第２の操作リングが回転される状態を示す模式図である。
【図１２】図１１に引き続き、第１の動作モードから切換遷移モードへの設定が行われる直前の状態を示す模式図である。
【図１３】図１２に引き続き、モード変更スイッチが操作され第１の動作モードから切換遷移モードへの設定が行われた状態を示す模式図である。
【図１４】図１３に引き続き、切換遷移モードにおいて第２の操作リングが回転されている状態を示す模式図である。
【図１５】図１４に引き続き、切換遷移モードから第２の動作モードへの設定が行われる直前の状態を示す模式図である。
【図１６】図１５に引き続き、モード変更スイッチが操作され切換遷移モードから第２の動作モードへの設定が行われた状態を示す模式図である。
【図１７】第２の動作モードにおいて第２の操作リングが回転される状態を示す模式図である。
【図１８】制御系等の構成例を示す図である。
【図１９】ズーミング動作において行われる制御を示すフローチャート図である。
【図２０】フォーカシング動作において行われる制御を示すフローチャート図である。
【図２１】図２２乃至図２６と共に切換機構の変形例を示すものであり、本図は、切換機構の構成を示す模式図である。
【図２２】連動体の展開図である。
【図２３】第１の動作モードにおいて第２の操作リングが回転される状態を示す模式図である。
【図２４】第１の動作モードから切換遷移モードへの設定が行われる直前の状態を示す模式図である。
【図２５】モード変更スイッチが操作され切換遷移モードから第２の動作モードへの設定が行われた状態を示す模式図である。
【図２６】第２の動作モードにおいて第２の操作リングが回転される状態を示す模式図である。
【図２７】撮像装置のブロック図である。
【発明を実施するための形態】
【００６２】
以下に、本技術を実施するための形態を添付図面を参照して説明する。
【００６３】
以下に示す実施の形態は、本技術撮像装置をスチルカメラに適用し、本技術交換レンズをこのスチルカメラの装置本体に対して着脱可能な交換レンズに適用し、本技術光学素子駆動装置をこの交換レンズに設けられた光学素子駆動装置に適用したものである。
【００６４】
尚、本技術の適用範囲はスチルカメラ、スチルカメラの装置本体に対して着脱可能な交換レンズ及びスチルカメラの装置本体に対して着脱可能な交換レンズに設けられた光学素子駆動装置に限られることはない。本技術は、例えば、撮像装置としてビデオカメラや他の機器に組み込まれる各種の撮像装置、これらの撮像装置の装置本体に対して着脱可能な交換レンズ及びこれらの撮像装置の装置本体に対して着脱可能な交換レンズに設けられる光学素子駆動装置に広く適用することができる。
【００６５】
以下の説明にあっては、スチルカメラの撮影時において撮影者から見た方向で前後上下左右の方向を示すものとする。従って、物体側が前方となり、像面側が後方となる。
【００６６】
尚、以下に示す前後上下左右の方向は説明の便宜上のものであり、本技術の実施に関しては、これらの方向に限定されることはない。
【００６７】
また、以下に示すレンズ群は、単数又は複数のレンズにより構成されたものの他、これらの単数又は複数のレンズと絞りやアイリス等の他の光学素子を含んでもよい。
【００６８】
＜撮像装置の構成＞
撮像装置１００は装置本体２００と交換レンズ３００によって構成されている（図１参照）。尚、本技術は、装置本体の内部に交換レンズ３００の内部構造と同様の構造を有するレンズ鏡筒が組み込まれたタイプやこのレンズ鏡筒が装置本体に対して突出又は収納される沈胴タイプにも適用することが可能である。
【００６９】
装置本体２００は外筐２０１の内外に所要の各部が配置されて成る。
【００７０】
外筐２０１には、例えば、上面や後面に各種の操作部２０２、２０２、・・・が配置されている。操作部２０２、２０２、・・・としては、例えば、電源釦、シャッター釦、ズーム摘子、モード切替摘子等が設けられている。
【００７１】
外筐２０１の後面には図示しないディスプレイ（表示部）が配置されている。
【００７２】
外筐２０１の前面には円形状の開口２０１ａが形成され、開口２０１ａの周囲の部分が交換レンズ３００を取り付けるためのマウント部２０３として設けられている。
【００７３】
外筐２０１の内部にはＣＣＤ（Charge Coupled Device）やＣＭＯＳ（Complementary Metal-Oxide Semiconductor）等の撮像素子２０４が配置され、撮像素子２０４は開口２０１ａの後方に位置されている。
【００７４】
＜交換レンズの構成＞
交換レンズ３００は、例えば、レンズ交換式デジタルカメラ用の交換レンズである。
【００７５】
交換レンズ３００の後端部には、装置本体２００のマウント部２０３に、例えば、バヨネット結合されるレンズマウント３０１が設けられている（図１及び図２参照）。交換レンズ３００にはフォーカスリングとして機能する第１の操作リング３０２とズームリングとして機能する第２の操作リング３０３とアイリスリングとして機能する第３の操作リング３０４とが設けられている。第１の操作リング３０２が回転操作されることによりマニュアルフォーカシングが行われ、第２の操作リング３０３が回転操作されることによりマニュアルズーミングが行われ、第３の操作リング３０４が回転操作されることにより図示しないアイリス羽根が動作されて交換レンズ３００に取り込まれる光量の調節が行われる。
【００７６】
交換レンズ３００は略円筒状に形成された筐体３０５と最も前側に配置された撮影用レンズ３０６とを有している。第１の操作リング３０２と第２の操作リング３０３と第３の操作リング３０４は筐体３０５の外面側に回転自在に支持され、例えば、第１の操作リング３０２と第２の操作リング３０３と第３の操作リング３０４が前側から順に位置されている。
【００７７】
筐体３０５の後端寄りの位置には周方向に離隔して複数の操作摘子３０７、３０７、・・・が配置されている。操作摘子３０７、３０７、・・・としては、例えば、ぶれ補正駆動のオンオフを切り換えるぶれ補正用摘子やモーター駆動によるズーミングを行うためのパワーズーム摘子やマニュアル状態とオート状態を切り換える状態切換摘子等が設けられている。モード切替摘子を操作することにより、例えば、第１の操作リング３０１と第２の操作リング３０２の手動での回転操作によるフォーカシングとズーミングを行うことが可能にされている。
【００７８】
筐体３０５の内部には光学素子３０８が配置されている（図３参照）。光学素子３０８は、例えば、ズームレンズ又はズームレンズ群であり、ホルダー３０９に保持されている。また、筐体３０５の内部には図示しないフォーカスレンズ群やアイリス羽根等の他の光学素子も配置されている。ホルダー３０９には外方に突出された少なくとも一つのカムフォロワ３１０が設けられている。
【００７９】
交換レンズ３００には光学素子駆動装置１が設けられている（図３及び図４参照）。光学素子駆動装置１は固定体２と連動体３を有している。固定体２としては、例えば、筐体３０５に固定された固定環が用いられ、連動体３としては、例えば、周方向（軸回り方向）に回転可能なカム環が用いられている。
【００８０】
交換レンズ３００においては、少なくとも連動体３に第２の操作リング３０３の回転方向に対する光学素子３０８の動作方向を切り換えて後述する第１の動作モードと第２の動作モードを設定する切換機構が設けられている。尚、切換機構は連動体３に加えて固定体２や各操作リング等の他の構造体にも設けられていてもよい。
【００８１】
固定体２は軸方向が前後方向にされ、略円筒状に形成された支持筒部４と支持筒部４の後端部から外方に張り出されたフランジ状の張出部５とを有している（図３乃至図５参照）。
【００８２】
支持筒部４には周方向に延びる挿通孔６が形成されている。支持筒部４にはキー移動溝７、７、７が周方向において形成されている（図３及び図５参照）。キー移動溝７は周方向に延びる第１の移動部７ａと第１の移動部７ａに連続し前後方向に短く延びる転換部７ｂと転換部７ｂに連続し周方向に延びる第２の移動部７ｃとから成り、転換部７ｂは前端部が第１の移動部７ａに連続され後端部が第２の移動部７ｃに連続されている。従って、第１の移動部７ａは第２の移動部７ｃより前側に位置されている。
【００８３】
支持筒部４の後端部にはギヤ支持部８が設けられ、ギヤ支持部８には配置孔８ａが形成されている。ギヤ支持部８には反転ギヤ９が配置孔８ａに配置された状態で回転自在に支持されている。
【００８４】
張出部５にはマーク５ａ、５ｂ、５ｃが周方向に離隔して付されている（図３、図４及び図６参照）。
【００８５】
固定体２は筐体３０５に固定された状態において、張出部５が第３の操作リング３０４の前側に位置されている。
【００８６】
固定体２における支持筒部４の外周面側には上記した第２の操作リング３０３が回転可能に支持されている（図３及び図４参照）。第２の操作リング３０３は外側リング１０と内側リング１１によって構成されている（図３及び図７参照）。
【００８７】
外側リング１０は略円環状に形成され、前側の部分に操作部１２が設けられ、後側の部分に指標部１３が設けられている。操作部１２の外周面は凹凸状に形成されている。指標部１３には第１の指標１３ａと第２の指標１３ｂが付されている（図６及び図７参照）。
【００８８】
第１の指標１３ａと第２の指標１３ｂは何れも、例えば、焦点距離表示であり複数の目盛りが付されて成り、一方が動画の撮影状態における焦点距離表示であり、他方が静止画の撮影状態における焦点距離表示である（図６参照）。動画の撮影状態において第１の指標１３ａの両端の目盛りにそれぞれマーク５ａとマーク５ｂが一致されている場合が、例えば、望遠端の状態であり（図６の左側参照）、静止画の撮影状態において第２の指標１３ｂの両端の目盛りにそれぞれマーク５ｂとマーク５ｃが一致されている場合が、例えば、望遠端の状態である（図６の右側参照）。
【００８９】
動画の撮影状態は後述する第１の動作モードが設定されており、像面側（撮影者側）から見て第２の操作リング３０３を反時計回り方向（第１の回転方向）に回転操作すると光学素子３０８が広角側から望遠側である第１の方向へ移動され第２の操作リング３０３を時計回り方向（第２の回転方向）に回転操作すると光学素子３０８が望遠側から広角側である第２の方向へ移動される。一方、静止画の撮影状態は後述する第２の動作モードが設定されており、像面側（撮影者側）から見て第２の操作リング３０３を時計回り方向に回転操作すると光学素子３０８が広角側から望遠側に移動され第２の操作リング３０３を反時計回り方向に回転操作すると光学素子３０８が望遠側から広角側に移動される。
【００９０】
外側リング１０にはモード変更スイッチ１４が配置されている（図７参照）。モード変更スイッチ１４が押圧操作されることにより、第２の操作リング３０３の回転により光学素子３０８を移動させてズーミングを行う動作モードと第２の操作リング３０３の回転により光学素子３０８の移動方向を切り換える切換遷移モードとの設定の切換が可能とされている。
【００９１】
動作モードには、例えば、動画の撮影状態である第１の動作モードと静止画の撮影状態である第２の動作モードとがある。第１の動作モードにおいては、上記したように、第２の操作リング３０３を反時計回り方向に回転操作することにより光学素子３０８が広角側から望遠側に移動され、第２の操作リング３０３を時計回り方向に回転操作することにより光学素子３０８が望遠側から広角側に移動される。第２の動作モードにおいては、上記したように、第２の操作リング３０３を時計回り方向に回転操作することにより光学素子３０８が広角側から望遠側に移動され、第２の操作リング３０３を反時計回り方向に回転操作することにより光学素子３０８が望遠側から広角側に移動される。
【００９２】
切換遷移モードは第２の操作リング３０３に対する光学素子３０８の動作方向を切り換える切換作業を行うときのモードであり、切換遷移モードにおいて切換作業を行うことにより第１の動作モードと第２の動作モードが切り換わる。
【００９３】
外側リング１０の内周面には内方に突出されたカムピン１０ａ、１０ａ、１０ａが周方向に離隔して設けられている。
【００９４】
内側リング１１は外側リング１０より一回り径が小さい略円環状に形成され、外側リング１０の内側に位置されている。内側リング１１の外周面にはカム溝１５、１５、１５が周方向に離隔して形成されている（図７及び図８参照）。カム溝１５は周方向に延びる第１の直線部１５ａと第１の直線部１５ａに連続し第１の直線部１５ａから離隔するに従って前方に変位する傾斜部１５ｂと傾斜部１５ｂに連続し周方向に延びる第２の直線部１５ｃとから成り、第１の直線部１５ａは周方向における長さが第２の直線部１５ｃより長くされている。
【００９５】
内側リング１１の外周面には第１のロック溝１６と第２のロック溝１７が周方向に離隔して形成されている（図７及び図９参照）。第１のロック溝１６と第２のロック溝１７は外側リング１０に配置されたモード変更スイッチ１４が挿入される部分である。第１のロック溝１６にモード変更スイッチ１４が挿入された状態においては外側リング１０と内側リング１１がロックされ両者が一体になって回転可能にされ第１の動作モードが設定され、第２のロック溝１７にモード変更スイッチ１４が挿入された状態においては外側リング１０と内側リング１１がロックされ両者が一体になって回転可能にされ第２の動作モードが設定されている。第１のロック溝１６と第２のロック溝１７の何れにもモード変更スイッチ１４が挿入されていない状態においては外側リング１０に対して内側リング１１が回転可能にされ切換遷移モードが設定されている。
【００９６】
内側リング１１の内周面には内方に突出されたリングキー１１ａ、１１ａ、１１ａが周方向に離隔して設けられている（図７及び図１０参照）。内側リング１１の内周面には内方及び前方に開口されたピン係合溝１１ｂが形成されている。
【００９７】
内側リング１１はカム溝１５、１５、１５にそれぞれカムピン１０ａ、１０ａ、１０ａが摺動自在に係合されることにより外側リング１０に支持される。内側リング１１が外側リング１０に支持された状態において、第１のロック溝１６又は第２のロック溝１７にモード変更スイッチ１４が挿入されることにより外側リング１０と内側リング１１がロックされ両者が一体になって回転可能とされ、第１のロック溝１６と第２のロック溝１７の何れにもモード変更スイッチ１４が挿入されないことにより内側リング１１が外側リング１０に対して周方向へ移動可能かつ前後方向へ移動可能とされる。
【００９８】
尚、上記には、外側リング１０にカムピン１０ａが設けられ内側リング１１にカムピン１０ａが係合されるカム溝１５が形成された例を示したが、逆に、内側リングにカムピンが設けられ外側リングにカム溝が形成されていてもよい。
【００９９】
内側リング１１の内周面における後端寄りの位置にはラックギヤ又は内歯車である円環状の伝達ギヤ１８が形成されている（図７参照）。
【０１００】
内側リング１１の前端部における外周部には前方に突出された遮光フィン１９が設けられている。遮光フィン１９は円弧状に形成されている。
【０１０１】
第２の操作リング３０３が固定体２の支持筒部４に回転可能に支持された状態において、外側リング１０に対して内側リング１１が後方に移動されると、内側リング１１の伝達ギヤ１８が固定体２の反転ギヤ９に噛合される。
【０１０２】
連動体３は軸方向が前後方向にされた略円筒状に形成されている（図３及び図４参照）。尚、連動体３はカム環に限られることはなく、例えば、ヘリコイドやカム板等であってもよい。
【０１０３】
連動体３は固定体２の支持筒部４に軸回り方向へ回転自在に支持されている。連動体３は支持筒部４の内周側に位置され、カム孔３ａ、３ａを有している。カム孔３ａは周方向へ行くに従って前後方向に変位するように傾斜されている。
【０１０４】
連動体３には外方に突出された連動ピン２０が設けられている。連動体３の外周面における後端寄りの位置にはラックギヤ又は内歯車である円弧状の駆動ギヤ２１が形成されている。
【０１０５】
連動体３は固定体２の支持筒部４の内部に配置された状態において、連動ピン２０が挿通孔６を挿通されている。従って、連動体３は連動ピン２０の挿通孔６に対する周方向における移動可能範囲において固定体２に対して軸回り方向へ回転可能とされ、固定体２に対して前後方向へは移動不能とされている。
【０１０６】
連動体３は駆動ギヤ２１が反転ギヤ９に噛合されている。従って、連動体３が固定体２に対して軸回り方向へ回転されるときには、反転ギヤ９が連動体３の回転方向に応じた方向へ回転される。
【０１０７】
交換レンズ３００には図示しない直進環が設けられ、直進環が、例えば、連動体３の内側に位置されている。直進環には前後に延びる一対の案内孔が形成されている。
【０１０８】
連動体３と直進環には光学素子３０８を保持したホルダー３０９が支持されており、ホルダー３０９のカムフォロワ３１０、３１０がそれぞれ直進環の案内孔と連動体３のカム孔３ａ、３ａに摺動自在に係合されている。従って、連動体３が固定体２に対して軸回り方向へ回転されると、カムフォロワ３１０、３１０のカム孔３ａ、３ａに対する係合位置が変化されると共にカムフォロワ３１０、３１０が案内孔に案内され、連動体３の回転方向に応じて光学素子３０８とホルダー３０９が前後方向（光軸方向）へ移動される。
【０１０９】
尚、上記には、直進環により光学素子３０８を前後方向に案内する例を示したが、例えば、直進環が設けられず固定体２と連動体３の一方にガイド軸が設けられ他方に軸スリーブが形成され両者が摺動自在に係合されることにより連動体３が固定体２に案内されて光学素子３０８が前後方向（光軸方向）へ移動される構成にすることも可能である。
【０１１０】
交換レンズ３００には検出部２２が設けられている（図３参照）。検出部２２としては、例えば、フォトインタラプタが用いられている。検出部２２は、例えば、筐体３０５の内周面に固定されている。外側リング１０に対して内側リング１１が後方へ移動されていない状態において、検出部２２の内側には内側リング１１に設けられた遮光フィン１９の一部が挿入された状態で位置される。
【０１１１】
＜交換レンズにおける動作＞
以下に、交換レンズ３００において第２の操作リング３０３が回転操作されたときの動作について説明する（図１１乃至図１７参照）。尚、図１１乃至図１７は、交換レンズ３００における動作の理解を容易にするために各部の位置関係等を概念的に示した図である。
【０１１２】
交換レンズ３００においては、上記したように、第２の操作リング３０３の回転により光学素子３０８を移動させてズーミングを行う動作モードと第２の操作リング３０３の回転により光学素子３０８の移動方向を切り換える切換遷移モードとの設定が可能とされている。
【０１１３】
動作モードには、動画の撮影状態である第１の動作モードと静止画の撮影状態である第２の動作モードとがある。
【０１１４】
以下には、主に、切換遷移モードにおいて第１の動作モードと第２の動作モードの切り換えを行うときの動作について説明する。
【０１１５】
動作モード、例えば、第１の動作モードにおいて、外側リング１０に配置されたモード変更スイッチ１４が内側リング１１に形成された第１のロック溝１６に挿入されている（図１１参照）。従って、外側リング１０と内側リング１１はロックされ、一体になって回転可能な状態にされている。
【０１１６】
連動体３は固定体２の挿通孔６に挿通された連動ピン２０が内側リング１１のピン係合溝１１ｂに挿入されて係合されており、内側リング１１と一体になって回転可能な状態にされている。従って、第１の動作モードにおいては、外側リング１０と内側リング１１と連動体３が一体になって回転可能な状態にされている。
【０１１７】
このとき外側リング１０のカムピン１０ａ、１０ａ、１０ａはそれぞれ内側リング１１に形成されたカム溝１５、１５、１５の第１の直線部１５ａ、１５ａ、１５ａに係合されている。従って、内側リング１１は前方の移動端（第１の位置）に位置され、伝達ギヤ１８が固定体２の反転ギヤ９に噛合されていない状態にされている。
【０１１８】
内側リング１１のリングキー１１ａ、１１ａ、１１ａはそれぞれ固定体２に形成されたキー移動溝７、７、７の第１の移動部７ａ、７ａ、７ａに係合されている。
【０１１９】
内側リング１１が前方の移動端に位置されているため、内側リング１１に設けられた遮光フィン１９の一部が検出部２２の内部に位置されている。遮光フィン１９の一部が検出部２２の内部に位置されていることにより、検出部２２によって内側リング１１が前方の移動端に位置されている第１の動作モードであることが検出される。
【０１２０】
上記した第１の動作モードにおいて、外側リング１０が第１の方向（図１１等に示すＲ１方向）に回転操作されると、外側リング１０と内側リング１１と連動体３が一体になって回転される。このとき、第１の動作モードと第２の動作モードの切換を行うために外側リング１０を、例えば、第１の望遠端指標位置まで回転する（図１２参照）。連動体３が外側リング１０及び内側リング１１と一体になって回転されるときには、連動体３の連動ピン２０が挿通孔６において移動される。第１の望遠端指標位置は、例えば、固定体２の張出部５に付されたマーク５ａとマーク５ｂが第１の指標１３ａの両端の目盛りに一致される位置である。
【０１２１】
外側リング１０が第１の望遠端指標位置まで回転された状態においては、カムピン１０ａがカム溝１５の第１の直線部１５ａに係合されたままである。また、内側リング１１のリングキー１１ａはキー移動溝７の第１の移動部７ａから転換部７ｂまで移動される。従って、内側リング１１はリングキー１１ａが転換部７ｂを摺動可能な状態にされ、外側リング１０に対して後方へ移動可能な状態にされる。
【０１２２】
第１の望遠端指標位置においては、連動ピン２０が挿通孔６の開口縁に接した状態にされ、これ以上のＲ１方向への回転が不能な状態にされている。
【０１２３】
外側リング１０が第１の望遠端指標位置まで回転された状態において、モード変更スイッチ１４を操作する。モード変更スイッチ１４が操作されることにより、モード変更スイッチ１４が第１のロック溝１６から引き出され、外側リング１０と内側リング１１のロック状態が解除される。モード変更スイッチ１４が操作されて外側リング１０と内側リング１１のロック状態が解除されることにより、第１の動作モードから切換遷移モードが設定される。
【０１２４】
外側リング１０と内側リング１１のモード変更スイッチ１４によるロックが解除された状態において引き続き外側リング１０がＲ１方向へ回転操作されると、外側リング１０が内側リング１１に対して回転される（図１３参照）。このとき連動体３は連動ピン２０が内側リング１１のピン係合溝１１ｂに係合されているためＲ１方向へ回転されず、内側リング１１とともに停止された状態にされている。従って、外側リング１０のカムピン１０ａがカム溝１５の第１の直線部１５ａを傾斜部１５ｂへ向けて移動される。
【０１２５】
さらに外側リング１０がＲ１方向へ回転されるとカムピン１０ａがカム溝１５の第１の直線部１５ａから傾斜部１５ｂに達し内側リング１１が外側リング１０に対して後方へ移動されていく（図１４参照）。同時に、内側リング１１のリングキー１１ａが転換部７ｂを第２の移動部７ｃへ向けて移動されていく。
【０１２６】
続いて外側リング１０がＲ１方向へ回転されるとカムピン１０ａがカム溝１５の傾斜部１５ｂから第２の直線部１５ｃに達し内側リング１１が後方の移動端（第２の位置）まで移動される（図１５参照）。同時に、内側リング１１のリングキー１１ａが転換部７ｂから第２の移動部７ｃまで移動される。
【０１２７】
内側リング１１が後方の移動端まで移動されると、連動体３の連動ピン２０がピン係合溝１１ｂから相対的に前側へ引き出され、連動体３が内側リング１１に対して回転可能な状態にされる。このとき後方の移動端まで移動された内側リング１１は伝達ギヤ１８が固定体２の反転ギヤ９に噛合される。従って、伝達ギヤ１８と連動体３の駆動ギヤ２１とが反対側から反転ギヤ９に噛合された状態になり、内側リング１１と連動体３が反対方向へ回転可能な状態にされる。
【０１２８】
外側リング１０は第２の望遠端指標位置までさらにＲ１方向へ回転される（図１６参照）。第２の望遠端指標位置は、例えば、固定体２の張出部５に付されたマーク５ｂとマーク５ｃが第２の指標１３ｂの両端の目盛りに一致される位置である。外側リング１０が第２の望遠端指標位置まで回転された状態においては、モード変更スイッチ１４が半径方向において内側リング１１の第２のロック溝１７に一致されている。
【０１２９】
外側リング１０が第２の望遠端指標位置まで回転された状態において、モード変更スイッチ１４を操作する。モード変更スイッチ１４が操作されることにより、モード変更スイッチ１４が第２のロック溝１７に挿入される。従って、外側リング１０と内側リング１１は再びロックされ、再び一体になって回転可能な状態にされる。このとき、上記したように、連動体３は連動ピン２０がピン係合溝１１ｂから引き出されており、内側リング１１と一体になっては回転されず、内側リング１１と連動体３が反対方向へ回転可能な状態にされている。
【０１３０】
モード変更スイッチ１４が操作されて外側リング１０と内側リング１１がロックされることにより、切換遷移モードから第２の動作モードが設定される。
【０１３１】
このとき、上記したように、内側リング１１が後方の移動端まで移動されているため、検出部２２の内部に位置されていた遮光フィン１９の一部が検出部２２から引き出され、遮光フィン１９が検出部２２の内部に位置されないことにより、検出部２２によって内側リング１１が後方の移動端に位置されている第２の動作モードであることが検出される。
【０１３２】
第２の動作モードにおいて外側リング１０がＲ１方向へ回転操作されると、外側リング１０と内側リング１１が一体になって回転されると共に連動体３が内側リング１１の回転に伴って内側リング１１と反対方向（図１７等に示すＲ２方向）へ回転される（図１７参照）。このとき内側リング１１のリングキー１１ａはキー移動溝７の第２の移動部７ｃを移動される。
【０１３３】
上記したように、第１の動作モードにおいて外側リング１０が回転されると外側リング１０と内側リング１１と連動体３が一体になって同じ方向へ回転され、第２の動作モードにおいて外側リング１０が回転されると外側リング１０と内側リング１１が一体になって同じ方向へ回転されると共に連動体３が外側リング１０及び内側リング１１とは反対方向へ回転される。従って、第１の動作モードと第２の動作モードにおいては、外側リング１０の回転方向に対して連動体３が反対方向へ回転される。
【０１３４】
このように交換レンズ３００にあっては、第１の動作モードと第２の動作モードにおいて、外側リング１０の回転方向に対する連動体３の回転方向が反対方向にされている。
【０１３５】
従って、第１の動作モードが設定された動画の撮影状態においては、例えば、像面側（撮影者側）から見て第２の操作リング３０３（外側リング１０）を反時計回り方向（第１の回転方向）に回転操作すると連動体３が反時計回り方向へ回転されて光学素子３０８が広角側から望遠側である第１の方向へ移動され、第２の操作リング３０３を時計回り方向（第２の回転方向）に回転操作すると連動体３が時計回り方向へ回転されて光学素子３０８が望遠側から広角側である第２の方向へ移動される。
【０１３６】
第１の動作モードにおける第２の操作リング３０３の回転は、固定体２の張出部５に付されたマーク５ｂが第１の指標１３ａの存在領域で移動される範囲で行われ、この第２の操作リング３０３の回転範囲が第１の回転操作範囲とされている。
【０１３７】
一方、第２の動作モードが設定された静止画の撮影状態においては、像面側（撮影者側）から見て第２の操作リング３０３（外側リング１０）を時計回り方向に回転操作すると連動体３が反時計回り方向へ回転されて光学素子３０８が広角側から望遠側に移動され、第２の操作リング３０３を反時計回り方向に回転操作すると連動体３が時計回り方向へ回転されて光学素子３０８が望遠側から広角側に移動される。
【０１３８】
第２の動作モードにおける第２の操作リング３０３の回転は、固定体２の張出部５に付されたマーク５ｂが第２の指標１３ｂの存在領域で移動される範囲で行われ、この第２の操作リング３０３の回転範囲が第２の回転操作範囲とされている。従って、第１の動作モードにおける第２の操作リング３０３の回転範囲である第１の回転操作範囲と第２の動作モードにおける第２の操作リング３０３の回転範囲である第２の回転操作範囲とは重複しない異なる範囲とされている。
【０１３９】
第２の動作モードから第１の動作モードへの切換は、上記した第１の動作モードから第２の動作モードへの切換動作と反対の動作により行われる。第２の動作モードから第１の動作モードへの切換動作の詳細は省略するが、第２の動作モードにおいて外側リング１０を第２の望遠端指標位置まで回転させてモード変更スイッチ１４を操作し外側リング１０と内側リング１１のロックを解除して切換遷移モードを設定し、続いて外側リング１０をＲ２方向へ第１の望遠端指標位置まで回転させてモード変更スイッチ１４を操作し外側リング１０と内側リング１１を再びロックすることにより第１の動作モードへの切換を行うことができる。
【０１４０】
尚、上記には、第１の動作モードにおいて、第２の操作リング３０３の反時計回り方向への回転操作により光学素子３０８が第１の方向へ移動されると共に第２の操作リング３０３の時計回り方向への回転操作により光学素子３０８が第２の方向へ移動され、第２の動作モードにおいて、第２の操作リング３０３の反時計回り方向への回転操作により光学素子３０８が第２の方向へ移動されると共に第２の操作リング３０３の時計回り方向への回転操作により光学素子３０８が第１の方向へ移動される例を示した。
【０１４１】
但し、交換レンズ３００にあっては、第１の動作モードにおいて、第２の操作リング３０３の反時計回り方向への回転操作により光学素子３０８が第２の方向へ移動されると共に第２の操作リング３０３の時計回り方向への回転操作により光学素子３０８が第１の方向へ移動され、第２の動作モードにおいて、第２の操作リング３０３の反時計回り方向への回転操作により光学素子３０８が第１の方向へ移動されると共に第２の操作リング３０３の時計回り方向への回転操作により光学素子３０８が第２の方向へ移動される構成にされていてもよい。
【０１４２】
また、上記には、ズームリングとして機能する第２の操作リング３０３が回転動作されることにより、第２の操作リング３０３の回転方向に対する光学素子３０８の移動方向が切り換わる例を示した。但し、第２の操作リング３０３に限らず、例えば、フォーカスリングとして機能する第１の操作リング３０２やアイリスリングとして機能する第３の操作リング３０４等の交換レンズ３００に設けられる他の操作リングにおいても、上記と同様の機構により操作リングの回転方向に対する光学素子の移動方向が切り換わるように構成することも可能である。
【０１４３】
上記したように、交換レンズ３００にあっては、第２の操作リング３０３が外側リング１０と外側リング１０の内側に位置される内側リング１１とを有し、動作モードにおいて外側リング１０と内側リング１１が一体に回転可能とされ、切換遷移モードにおいて外側リング１０が内側リング１１に対して回転されることにより切換機構が動作される。
【０１４４】
従って、モード変更スイッチ１４に対する操作によって外側リング１０の内側リング１１に対する回転状態が変更されて切換機構の動作状態が変更されるため、簡素な機構によって動作モードと切換遷移モードのモード変更を行うことができる。
【０１４５】
また、内側リング１１が切換遷移モードにおいて外側リング１０に対して回転方向と異なる方向である前後方向へ第１の位置と第２の位置の間で移動可能とされ、内側リング１１の移動位置に応じて光学素子３０８の動作方向が切り換えられる。
【０１４６】
従って、内側リング１１が第１の位置又は第２の位置に移動されることにより光学素子３０８の動作方向が切り換えられるため、簡素な機構によって光学素子３０８の動作方向を切り換えることができる。
【０１４７】
さらに、外側リング１０と内側リング１１には一方にカム溝１５が形成され他方にカム溝１５に摺動自在に係合されるカムピン１０ａが設けられ、外側リング１０の内側リング１１に対する回転に伴うカムピン１０ａのカム溝１５に対する位置の変化により内側リング１１が第１の位置と第２の位置の間で移動される。
【０１４８】
従って、外側リング１０が内側リング１１に対して回転されてカムピン１０ａのカム溝１５に対する位置が変化されることにより内側リング１１が第１の位置又は第２の位置に移動されるため、簡素な機構によって内側リング１１を移動させることができる。
【０１４９】
さらにまた、第２の操作リング３０３に反転ギヤ９に噛合可能な伝達ギヤ１８が形成され、伝達ギヤ１８が反転ギヤ９と噛合された状態において第２の操作リング３０３と連動体３が反対方向へ回転され、伝達ギヤ１８が反転ギヤ９と噛合されていない状態において第２の操作リング３０３と連動体３が同じ方向へ回転される。
【０１５０】
従って、伝達ギヤ１８が反転ギヤ９に噛合された状態と伝達ギヤ１８が反転ギヤ９に噛合されていない状態とによって第２の操作リング３０３の回転方向に対する連動体３の回転方向が反対方向にされるため、簡素な機構により光学素子３０８の動作方向を切り換えることができる。
【０１５１】
また、連動体３に第２の操作リング３０３と連結可能な連動ピン２０が設けられ、連動ピン２０が第２の操作リング３０３と連結された状態において連動体３が第２の操作リング３０３と一体になって回転され、連動ピン２０の第２の操作リング３０３との連結が解除された状態において伝達ギヤ１８が反転ギヤ９と噛合される。
【０１５２】
従って、連動ピン２０が第２の操作リング３０３に連結された状態と連動ピン２０の第２の操作リング３０３との連結が解除され伝達ギヤ１８が反転ギヤ９と噛合された状態とで第２の操作リング３０３の回転方向に対する連動体３の回転方向が反対方向にされるため、簡素な機構により光学素子３０８の動作方向を切り換えることができる。
【０１５３】
さらに、連動体３に反転ギヤ９と噛合された駆動ギヤ２１が形成され、伝達ギヤ１８が反転ギヤ９と噛合された状態において第２の操作リング３０３の回転力が伝達ギヤ１８と反転ギヤ９を介して連動体３に伝達される。
【０１５４】
従って、伝達ギヤ１８が反転ギヤ９と噛合され駆動ギヤ２１が反転ギヤ９と噛合された状態において第２の操作リング３０３の回転力が伝達ギヤ１８及び反転ギヤ９を介して連動体３に伝達されるため、簡素な機構により第２の操作リング３０３の回転によって連動体３を確実に回転させることができる。
【０１５５】
さらにまた、伝達ギヤ１８が回転方向に延びる形状に形成され、伝達ギヤ１８が反転ギヤ９と噛合された状態において伝達ギヤ１８が駆動ギヤ２１の外側に位置される。
【０１５６】
従って、伝達ギヤ１８が反転ギヤ９と噛合され駆動ギヤ２１が反転ギヤ９と噛合された状態において環状に形成された伝達ギヤ１８が駆動ギヤ２１の外側に位置されるため、小型化を確保した上で第２の操作リング３０３の回転によって連動体３を確実に回転させることができる。
【０１５７】
＜交換レンズにおける制御例＞
交換レンズ３００にあっては、例えば、オート状態において以下のような制御が行われる。尚、オート状態は、上記したように、操作摘子３０７の一つである状態切換摘子に対する操作によって設定することが可能であり、状態切換摘子によってマニュアル状態とオート状態の切り換えが行われる。
【０１５８】
オート状態における制御は内側リング１１の遮光フィン１９の有無を検出する検出部２２の検出結果に基づいて行われる。検出部２２は、上記したように、遮光フィン１９の一部が検出部２２の内部に位置されているときには第１の動作モードであることを検出し、遮光フィン１９が検出部２２の内部に位置されていないときには第２の動作モードであることを検出する。
【０１５９】
交換レンズ３００には全体の制御を司る制御マイコン４００が設けられており、制御マイコン４００はズーム制御部４０１とフォーカス制御部４０２を有している（図１８参照）。
【０１６０】
オート状態においては、ズームレンズ群である光学素子３０８がズーム用モーター５０１によって光軸方向へ移動され、フォーカスレンズ群がフォーカス用モーター５０２によって光軸方向へ移動される。ズーム用モーター５０１はズーム制御部４０１によって制御され、フォーカス用モーター５０２はフォーカス制御部４０２によって制御される。
【０１６１】
検出部２２の検出結果に基づいて制御マイコン４００に検出信号が入力されると、検出信号に基づいてズーム制御部４０１とフォーカス制御部４０２が動作され、ズーム制御部４０１によってズーム用モーター５０１が制御され、フォーカス制御部４０２によってフォーカス用モーター５０２が制御される。
【０１６２】
ズーミング動作においては、次のような制御が行われる（図１９参照）。
【０１６３】
検出部２２の検出結果に基づいて制御マイコン４００に検出信号が入力されると、制御マイコン４００が第１の動作モードであるか否かを判別する。
【０１６４】
制御マイコン４００が動画の撮影状態である第１の動作モードであることを判別すると、ズーム制御部４０１によって低速サーボ設定の制御が行われ、ズーム用モーター５０１の回転速度が基準速度より低速にされる。
【０１６５】
一方、制御マイコン４００が第１の動作モードであることを判別しないと、ズーム制御部４０１によって高速サーボ設定の制御が行われ、ズーム用モーター５０１の回転速度が基準速度より高速にされる。尚、制御マイコン４００が第１の動作モードであることを判別しないときのモードは、静止画の撮影状態である第２の動作モードが設定されている状態である。
【０１６６】
動画の撮影状態においてズーミング動作が行われるときには、一般に、質の高い撮影画像を確保するために画角の変化が低速で行われることが望ましく、静止画の撮影状態においてズーミング動作が行われるときには、一般に、迅速な撮影機会を確保するために画角の変化が高速で行われることが望ましい。
【０１６７】
従って、ズーミング動作においてズーム用モーター５０１に対する上記のような制御によって、光学素子３０８の動作速度に関し第１の動作モードが第２の動作モードより低下する制御が行われ、動画の撮影状態において質の高い撮影画像を確保することが可能になると共に静止画の撮影状態において迅速な撮影機会を確保することが可能になり、ズーミングにおける機能性の向上を図ることができる。
【０１６８】
フォーカシング動作においては、次のような制御が行われる（図２０参照）。
【０１６９】
検出部２２の検出結果に基づいて制御マイコン４００に検出信号が入力されると、制御マイコン４００が第１の動作モードであるか否かを判別する。
【０１７０】
制御マイコン４００が動画の撮影状態である第１の動作モードであることを判別すると、フォーカス制御部４０２によって低速設定の制御が行われ、フォーカス用モーター５０２の回転速度が低速、例えば、最高速度が低速にされる。
【０１７１】
一方、制御マイコン４００が第１の動作モードであることを判別しないと、フォーカス制御部４０２によって高速サーボ設定の制御が行われ、フォーカス用モーター５０２の回転速度が高速、例えば、最高速度が高速にされる。尚、制御マイコン４００が第１の動作モードであることを判別しないときのモードは、静止画の撮影状態である第２の動作モードが設定されている状態である。
【０１７２】
動画の撮影状態においてフォーカシング動作が行われるときには、一般に、ピントずれを低減して質の高い撮影画像を確保するために焦点合わせが低速で行われることが望ましく、静止画の撮影状態においてフォーカシング動作が行われるときには、一般に、迅速な撮影機会を確保するために焦点合わせが高速で行われることが望ましい。
【０１７３】
従って、フォーカシング動作においてフォーカス用モーター５０２に対する上記のような制御によって、フォーカスレンズ群の動作速度に関し第１の動作モードが第２の動作モードより低下する制御が行われ、動画の撮影状態において質の高い撮影画像を確保することが可能になると共に静止画の撮影状態において迅速な撮影機会を確保することが可能になり、フォーカシングにおける機能性の向上を図ることができる。
【０１７４】
上記したように、交換レンズ３００にあっては、第１の動作モードと第２の動作モードを検出する検出部２２が設けられ、検出部２２の検出結果に基づいてオート状態においてズームレンズ群である光学素子３０８とフォーカスレンズ群の動作速度がそれぞれ制御される。
【０１７５】
従って、第１の動作モードと第２の動作モードにおいて光学素子３０８とフォーカスレンズ群の動作速度に関してオート状態でのそれぞれ最適な制御を行うことが可能になり、機能性の向上を図ることができる。
【０１７６】
尚、上記には、ズーミング動作とフォーカシング動作に関しての制御例について説明したが、上記した制御はアイリス羽根の動作にも適用することが可能である。この場合には、例えば、アイリス羽根の動作速度に関し第１の動作モードが第２の動作モードより低下する制御が行われる。
【０１７７】
従って、動画の撮影状態において質の高い撮影画像を確保することが可能になると共に静止画の撮影状態において迅速な撮影機会を確保することが可能になり、交換レンズ３００に取り込まれる光量に関する動作における機能性の向上を図ることができる。
【０１７８】
＜光学素子駆動装置の変形例＞
次に、第１の動作モードと第２の動作モードの切換を行う切換機構を有する光学素子駆動装置１の変形例について説明する（図２１乃至図２６参照）。尚、図２１乃至図２６は、変形例における動作の理解を容易にするために各部の位置関係等を概念的に示した図である。
【０１７９】
変形例に係る光学素子駆動装置３１は固定体３２と連動体３３を有している。固定体３２としては、例えば、筐体３０５に固定された固定環が用いられ、連動体３３としては、例えば、周方向（軸回り方向）に回転可能なカム環が用いられている（図２１参照）。
【０１８０】
交換レンズ３００においては、少なくとも連動体３３に第２の操作リング３３３の回転方向に対する光学素子３０８の動作方向を切り換えて第１の動作モードと第２の動作モードを設定する切換機構が設けられている。尚、切換機構は連動体３３に加えて固定体３２や各操作リング等の他の構造体にも設けられていてもよい。
【０１８１】
固定体３２の張出部３５には第１のロック部３５ａと第２のロック部３５ｂが周方向に離隔して形成されている。張出部３５には少なくともマーク５ｂが付されている。
【０１８２】
第２の操作リング３３３は略円環状に形成され、第２の操作リング３０３のように外側リング１０と内側リング１１の二重構造にはされていない。第２の操作リング３３３にはピン連結溝３３３ａが形成されている。
【０１８３】
第２の操作リング３３３にはモード変更スイッチ４４が配置されている。モード変更スイッチ４４が押圧操作されることにより、第２の操作リング３３３の回転により光学素子３０８を移動させてズーミングを行う動作モードと第２の操作リング３３３の回転により光学素子３０８の移動方向を切り換える切換遷移モードとの設定が可能とされている。
【０１８４】
モード変更スイッチ４４は操作されることにより、固定体３２の第１のロック部３５ａ又は第２のロック部３５ｂに係合可能なロック可能位置と第１のロック部３５ａ及び第２のロック部３５ｂの何れにも係合されないロック解除位置との間で移動される。
【０１８５】
連動体３３はカム孔６０、６０を有している（図２１等には一つのカム孔６０のみを示す。）。カム孔６０は第１の動作部６０ａと遷移部６０ｂと第２の動作部６０ｃが周方向において連続して形成されて成る（図２２参照）。第１の動作部６０ａは遷移部６０ｂに近付くに従って前方に変位するように傾斜された曲線状に形成され、遷移部６０ｂは周方向に延びる直線状に形成され、第２の動作部６０ｃは遷移部６０ｂから遠去かるに従って後方に変位するように傾斜された曲線状に形成されている。
【０１８６】
第１の動作部６０ａと第２の動作部６０ｃは周方向（回転方向）に離隔して対称な形状に形成されている。
【０１８７】
連動体３３には外方に突出された連動ピン５０が設けられている。連動体３３は連動ピン５０が第２の操作リング３３３のピン連結溝３３３ａに挿入されて係合されている。従って、連動体３３は第２の操作リング３３３と常に一体になって回転される。
【０１８８】
交換レンズ３００には図示しない直進環が設けられ、直進環が、例えば、連動体３３の内側に位置されている。直進環には前後に延びる一対の案内孔が形成されている。尚、例えば、直進環が設けられず固定体３２と連動体３３の一方にガイド軸が設けられ他方に軸スリーブが形成され両者が摺動自在に係合されることにより連動体３３が固定体３２に案内されて光学素子３０８が前後方向（光軸方向）へ移動される構成にすることも可能である。
【０１８９】
連動体３３と直進環には光学素子３０８を保持したホルダー３０９が支持されており、ホルダー３０９のカムフォロワ３１０、３１０がそれぞれ直進環の案内孔と連動体３３のカム孔６０、６０に摺動自在に係合されている。従って、連動体３３が第２の操作リング３３３と一体になって軸回り方向へ回転されると、カムフォロワ３１０、３１０のカム孔６０、６０に対する係合位置が変化されカムフォロワ３１０、３１０が案内孔に案内され、連動体３３の回転方向に応じて光学素子３０８とホルダー３０９が前後方向（光軸方向）へ移動される。
【０１９０】
尚、第２の操作リング３３３には内側リング１１に設けられていた遮光フィン１９と同様の図示しない遮光フィンが設けられている。
【０１９１】
第１の動作モードにおいては、モード変更スイッチ４４がロック可能位置にあり、光学素子３０８を保持するホルダー３０９のカムフォロワ３１０、３１０がそれぞれカム孔６０、６０の第１の動作部６０ａ、６０ａに摺動自在に係合されている（図２３及び図２４参照）。
【０１９２】
第１の動作モードにおいて、第２の操作リング３３３の回転に伴って連動体３３が回転されると、カムフォロワ３１０の第１の動作部６０ａに対する位置が変化され、光学素子３０８が光軸方向へ移動される。
【０１９３】
第２の操作リング３３３がＲ２方向に回転されモード変更スイッチ４４が固定体３２の第１のロック部３５ａに接することにより第２の操作リング３３３と連動体３３のＲ２方向への回転が規制される（図２４参照）。このとき光学素子３０８は広角端に位置され、第２の操作リング３３３は、マーク５ｂが第２の指標１３ｂの一端に付された目盛りに一致する第１の広角端指標位置まで回転されている。
【０１９４】
従って、第１の動作モードが設定された動画の撮影状態においては、例えば、像面側（撮影者側）から見て第２の操作リング３３３を反時計回り方向（第１の回転方向であるＲ１方向）に回転操作すると連動体３３が反時計回り方向へ回転されて光学素子３０８が広角側から望遠側である第１の方向へ移動され、第２の操作リング３３３を時計回り方向（第２の回転方向であるＲ２方向）に回転操作すると連動体３３が時計回り方向へ回転されて光学素子３０８が望遠側から広角側である第２の方向へ移動される。
【０１９５】
第１の動作モードにおいて第２の操作リング３３３が第１の広角端指標位置まで回転された状態でモード変更スイッチ４４を操作する。モード変更スイッチ４４が操作されることにより、モード変更スイッチ４４がロック解除位置に移動され、第２の操作リング３３３のＲ２方向への回転操作が可能な状態にされ、第１の動作モードから切換遷移モードが設定される。
【０１９６】
第２の操作リング３３３のモード変更スイッチ４４によるロックが解除された状態において第２の操作リング３３３がＲ２方向へ回転操作されると、カムフォロワ３１０が遷移部６０ｂを摺動される。第２の操作リング３３３が第１の指標１３ａの一端に付された目盛りに一致する第２の広角端指標位置まで回転された状態において、モード変更スイッチ４４を操作する。モード変更スイッチ４４が操作されることにより、モード変更スイッチ４４が再びロック可能位置に移動され、モード変更スイッチ４４が固定体３２の第２のロック部３５ｂに接することにより第２の操作リング３３３と連動体３３のＲ１方向への回転が規制される（図２５参照）。このとき光学素子３０８は広角端に位置されている。モード変更スイッチ４４が操作されることにより、切換遷移モードから第２の動作モードが設定される。このときカムフォロワ３１０がカム孔６０の第２の動作部６０ｃに摺動自在に係合される。
【０１９７】
第２の動作モードにおいて、第２の操作リング３３３の回転に伴って連動体３３が回転されると、カムフォロワ３１０の第２の動作部６０ｃに対する位置が変化され、光学素子３０８が光軸方向へ移動される。
【０１９８】
第２の動作モードが設定された静止画の撮影状態においては、像面側（撮影者側）から見て第２の操作リング３３３を反時計回り方向（第１の回転方向であるＲ１方向）に回転操作すると連動体３３が反時計回り方向へ回転されて光学素子３０８が望遠側から広角側である第２の方向へ移動され、第２の操作リング３３３を時計回り方向（第２の回転方向であるＲ２方向）に回転操作すると連動体３３が時計回り方向へ回転されて光学素子３０８が広角側から望遠側である第１の方向へ移動される。
【０１９９】
第２の動作モードから第１の動作モードへの切換は、上記した第１の動作モードから第２の動作モードへの切換動作と反対の動作により行われる。第２の動作モードから第１の動作モードへの切換動作の詳細は省略するが、第２の動作モードにおいて第２の操作リング３３３をＲ１方向に回転させてモード変更スイッチ４４を操作し第２の操作リング３３３のロックを解除して切換遷移モードを設定し、続いて第２の操作リング３３３をＲ１方向に回転させてモード変更スイッチ４４を操作し第２の操作リング３３３を再びロックすることにより第１の動作モードへの切換を行うことができる。
【０２００】
尚、上記には、第１の動作モードにおいて、第２の操作リング３３３の反時計回り方向への回転操作により光学素子３０８が第１の方向へ移動されると共に第２の操作リング３３３の時計回り方向への回転操作により光学素子３０８が第２の方向へ移動され、第２の動作モードにおいて、第２の操作リング３３３の反時計回り方向への回転操作により光学素子３０８が第２の方向へ移動されると共に第２の操作リング３３３の時計回り方向への回転操作により光学素子３０８が第１の方向へ移動される例を示した。
【０２０１】
但し、第１の動作モードにおいて、第２の操作リング３３３の反時計回り方向への回転操作により光学素子３０８が第２の方向へ移動されると共に第２の操作リング３３３の時計回り方向への回転操作により光学素子３０８が第１の方向へ移動され、第２の動作モードにおいて、第２の操作リング３３３の反時計回り方向への回転操作により光学素子３０８が第１の方向へ移動されると共に第２の操作リング３３３の時計回り方向への回転操作により光学素子３０８が第２の方向へ移動される構成にされていてもよい。
【０２０２】
尚、第２の変形例に係る切換機構を、例えば、フォーカスリングとして機能する第１の操作リング３０２やアイリスリングとして機能する第３の操作リング３０４等の交換レンズ３００に設けられる他の操作リングにおいても適用することが可能である。
【０２０３】
上記したように、変形例に係る光学素子駆動装置３１にあっては、連動体３３に第１の動作モードにおいて光学素子３０８を動作させる第１の動作部６０ａと第２の動作モードにおいて光学素子３０８を動作させる第２の動作部６０ｃとが形成されている。
【０２０４】
従って、第１の動作モードと第２の動作モードにおいて、連動体３３の回転方向に応じて光学素子３０８がそれぞれ第１の動作部６０ａと第２の動作部６０ｃによって各方向へ移動されるため、簡素な構造によって光学素子３０８の動作方向を切り換えることができる。
【０２０５】
また、連動体３３として第２の操作リング３３３と同じ方向へ回転されるカム環が設けられ、第１の動作部６０ａと第２の動作部６０ｃが連動体３３の回転方向に離隔して対称な形状に形成されている。
【０２０６】
従って、第１の動作モードと第２の動作モードにおいて光学素子３０８がそれぞれ連動体３３の回転方向に離隔して対称な形状に形成された第１の動作部６０ａと第２の動作部６０ｃによって各方向へ移動されるため、第１の動作モードと第２の動作モードにおいて第２の操作リング３３３が同じ速度で回転されたときに光学素子３０８を同一の速度で動作させることができ、光学素子３０８の良好な動作状態を確保することができる。
【０２０７】
＜まとめ＞
以上に記載した通り、交換レンズ３００にあっては、回転操作される第２の操作リング３０３、３３３の回転力によって動作されると共に第２の操作リング３０３、３３３の回転力を光学素子３０８に伝達して光学素子３０８を動作させる連動体３、３３を備え、少なくとも連動体３、３３に第２の操作リング３０３、３３３の回転方向に対する光学素子３０８の動作方向を切り換える切換機構が設けられている。
【０２０８】
従って、切換機構によって第２の操作リング３０３、３３３の回転方向に対する光学素子３０８の動作方向が切り換えられると共に連動体３、３３により伝達される第２の操作リング３０３、３３３の回転力によって光学素子３０８が動作されるため、第２の操作リング３０３、３３３に対する操作に対して光学素子３０８が追従して動作され光学素子３０８の動作遅延が生じ難く、機能性の低下を来たすことなく、第２の操作リング３０３、３３３に関する高い操作性を確保することができる。
【０２０９】
また、第２の操作リング３０３、３３３を回転させて光学素子３０８を動作させる動作モードと第２の操作リング３０３、３３３を回転させて光学素子３０８の動作方向を切り換える切換遷移モードとの設定が可能とされ、動作モードと切換遷移モードの変更を行うモード変更スイッチ１４、４４が設けられている。
【０２１０】
従って、モード変更スイッチ１４、４４に対する操作によって動作モードと切換遷移モードのモード変更が行われ、設定されているモードを確実に認識することができ、誤操作を防止することができる。
【０２１１】
さらに、光学素子３０８が互いに反対方向の第１の方向と第２の方向への動作が可能とされ、第２の操作リング３０３、３３３が第１の回転操作範囲において一方に回転されることにより光学素子３０８が第１の方向へ動作されると共に他方に回転されることにより光学素子３０８が第２の方向へ動作され、第２の操作リング３０３、３３３が第２の回転操作範囲において一方に回転されることにより光学素子３０８が第２の方向へ動作されると共に他方に回転されることにより光学素子３０８が第１の方向へ動作される。
【０２１２】
従って、第２の操作リング３０３、３３３が異なる回転操作範囲において回転されることにより光学素子３０８が反対方向へ動作されるため、第２の操作リング３０３、３３３の回転に対する光学素子３０８の動作方向が明確になり、使い勝手の向上を図ることができる。
【０２１３】
さらにまた、第２の操作リング３０３、３３３には第１の回転操作範囲と第２の回転操作範囲をそれぞれ示す第１の指標１３ａと第２の指標１３ｂの各目盛りが回転方向において離隔した位置にそれぞれ付されている。
【０２１４】
従って、回転方向において離隔した位置にそれぞれの回転操作範囲を示す目盛りが存在するため、回転操作範囲が明確になると共に各目盛りが何れの回転操作範囲を示すものであるかが明確になり、第２の操作リング３０３、３３３に対する良好な操作性を確保することができる。
【０２１５】
また、第１の動作モードにおいて第２の操作リング３０３、３３３の一方への回転時に光学素子３０８が第１の方向へ動作されると共に第２の操作リング３０３、３３３の他方への回転時に光学素子３０８が第２の方向へ動作され、第２の動作モードにおいて第２の操作リング３０３、３３３の一方への回転時に光学素子３０８が第２の方向へ動作されると共に第２の操作リング３０３、３３３の他方への回転時に光学素子３０８が第１の方向へ動作される。
【０２１６】
従って、第１の動作モードと第２の動作モードにおいて第２の操作リング３０３、３３３の同一の回転方向に対して光学素子３０８が反対方向へ動作されるため、使用者の意図に応じた操作を行うことが可能になり、第２の操作リング３０３、３３３の操作に関する使い勝手の向上を図ることができる。
【０２１７】
加えて、第１の動作モードとして動画の撮影状態が設定され、第２の動作モードとして静止画の撮影状態が設定される。
【０２１８】
従って、静止画の撮影時と動画の撮影時とにおいて光学素子３０８が反対方向へ移動されてズーミング又はフォーカシングが行われるため、ズーミング又はフォーカシングに関して第２の操作リング３０３、３３３を回転操作した使用者の意図に応じた機能を実行させることができる。
【０２１９】
＜撮像装置の一実施形態＞
図２７に、本技術撮像装置の一実施形態のブロック図を示す。
【０２２０】
撮像装置１００は、撮像機能を担う交換レンズ３００と、撮影された画像信号のアナログ−デジタル変換等の信号処理を行うカメラ信号処理部８１と、画像信号の記録再生処理を行う画像処理部８２とを有している。また、撮像装置１００は、撮影された画像等を表示する表示部（ディスプレイ）８３と、メモリー９０への画像信号の書込及び読出を行うＲ／Ｗ（リーダ／ライタ）８４と、撮像装置１００の全体を制御するＣＰＵ（Central Processing Unit）８５と、ユーザーによって所要の操作が行われる各種のスイッチ等の操作部２０２と、交換レンズ３００に配置された光学素子３０８を含むレンズ群８７等の駆動を制御する駆動制御部８６とを備えている。
【０２２１】
交換レンズ３００は、レンズ群８７を含む光学系や、ＣＣＤ（Charge Coupled Device）やＣＭＯＳ（Complementary Metal-Oxide Semiconductor）等の撮像素子２０４等とによって構成されている。
【０２２２】
カメラ信号処理部８１は、撮像素子２０４からの出力信号に対するデジタル信号への変換、ノイズ除去、画質補正、輝度・色差信号への変換等の各種の信号処理を行う。
【０２２３】
画像処理部８２は、所定の画像データフォーマットに基づく画像信号の圧縮符号化・伸張復号化処理や解像度等のデータ仕様の変換処理等を行う。
【０２２４】
表示部８３はユーザーの操作部２０２に対する操作状態や撮影した画像等の各種のデータを表示する機能を有している。尚、撮像装置１００においては、表示部８３が設けられていなくてもよく、撮影された画像データが他の表示装置に送出されて画像が表示されるように構成されていてもよい。
【０２２５】
Ｒ／Ｗ８４は、画像処理部８２によって符号化された画像データのメモリー９０への書込及びメモリー９０に記録された画像データの読出を行う。
【０２２６】
ＣＰＵ８５は制御マイコン４００を含んでもよく、撮像装置１００に設けられた各回路ブロックを制御する制御処理部として機能し、操作部２０２からの指示入力信号等に基づいて各回路ブロックを制御する。
【０２２７】
操作部２０２はユーザーによる操作に応じた指示入力信号をＣＰＵ８５に対して出力する。
【０２２８】
駆動制御部８６はズーム制御部４０１とフォーカス制御部４０２を含んでもよく、ＣＰＵ８５からの制御信号に基づいてレンズ群８７を移動させる駆動源、例えば、ズーム用モーター５０１やフォーカス用モーター５０２を制御する。
【０２２９】
メモリー９０は、例えば、Ｒ／Ｗ８４に接続されたスロットに対して着脱可能な半導体メモリーである。
【０２３０】
以下に、撮像装置１００における動作を説明する。
【０２３１】
撮影の待機状態では、ＣＰＵ８５による制御の下で、撮影された画像信号がカメラ信号処理部８１を介して表示部８３に出力され、カメラスルー画像として表示される。また、操作部２０２からの指示入力信号が入力されると、ＣＰＵ８５が駆動制御部８６に制御信号を出力し、駆動制御部８６の制御に基づいてレンズ群８７が移動される。
【０２３２】
操作部２０２からの指示入力信号により撮影動作が行われると、撮影された画像信号がカメラ信号処理部８１から画像処理部８２に出力されて圧縮符号化処理され、所定のデータフォーマットのデジタルデータに変換される。変換されたデータはＲ／Ｗ８４に出力され、メモリー９０に書き込まれる。
【０２３３】
メモリー９０に記録された画像データを再生する場合には、操作部２０２に対する操作に応じて、Ｒ／Ｗ８４によってメモリー９０から所定の画像データが読み出され、画像処理部８２によって伸張復号化処理が行われた後に、再生画像信号が表示部８３に出力されて再生画像が表示される。
【０２３４】
＜その他＞
上記には、光学素子として光学素子３０８を含むレンズ群８７が用いられた例を示したが、光学素子はレンズ群８７に限られることはなく、光学素子としては、例えば、絞りやアイリスや撮像素子等が用いられていてもよい。
【０２３５】
また、上記には、第１の動作モードが動画の撮影状態であり第２の動作モードが静止画の撮影状態である例を示したが、第１の動作モードと第２の動作モードはそれぞれ動画と静止画の撮影状態に限られることはない。第１の動作モードと第２の動作モードは撮像装置１００において設定される各種のモードに適用することが可能であり、例えば、マクロ撮影モード、夜間撮影モード、逆光補正撮影モード、連写モード等の各種のモードを適用することが可能である。
【０２３６】
＜本技術＞
本技術は、以下のような構成にすることもできる。
【０２３７】
（１）
回転操作される操作リングの回転力によって動作されると共に前記操作リングの回転力を光学素子に伝達して前記光学素子を動作させる連動体を備え、
少なくとも前記連動体に前記操作リングの回転方向に対する前記光学素子の動作方向を切り換える切換機構が設けられた
光学素子駆動装置。
【０２３８】
（２）
前記操作リングを回転させて前記光学素子を動作させる動作モードと前記操作リングを回転させて前記光学素子の動作方向を切り換える切換遷移モードとの設定が可能とされ、
前記動作モードと前記切換遷移モードの変更を行うモード変更スイッチが設けられた
前記（１）に記載の光学素子駆動装置。
【０２３９】
（３）
前記操作リングが外側リングと前記外側リングの内側に位置される内側リングとを有し、
前記動作モードにおいて前記外側リングと前記内側リングが一体に回転可能とされ、
前記切換遷移モードにおいて前記外側リングが前記内側リングに対して回転されることにより前記切換機構が動作される
前記（２）に記載の光学素子駆動装置。
【０２４０】
（４）
前記内側リングが前記切換遷移モードにおいて前記外側リングに対して前記回転方向と異なる方向へ第１の位置と第２の位置の間で移動可能とされ、
前記内側リングの移動位置に応じて前記光学素子の動作方向が切り換えられる
前記（３）に記載の光学素子駆動装置。
【０２４１】
（５）
前記外側リングと前記内側リングには一方にカム溝が形成され他方に前記カム溝に摺動自在に係合されるカムピンが設けられ、
前記外側リングの前記内側リングに対する回転に伴う前記カムピンの前記カム溝に対する位置の変化により前記内側リングが前記第１の位置と前記第２の位置の間で移動される
前記（４）に記載の光学素子駆動装置。
【０２４２】
（６）
反転ギヤを有し前記連動体を回転自在に支持する固定体が設けられ、
前記操作リングには前記反転ギヤに噛合可能な伝達ギヤが形成され、
前記伝達ギヤが前記反転ギヤと噛合された状態において前記操作リングと前記連動体が反対方向へ回転され、
前記伝達ギヤが前記反転ギヤと噛合されていない状態において前記操作リングと前記連動体が同じ方向へ回転される
前記（１）から前記（５）の何れかに記載の光学素子駆動装置。
【０２４３】
（７）
前記連動体に前記操作リングと連結可能な連動ピンが設けられ、
前記連動ピンが前記操作リングと連結された状態において前記連動体が前記操作リングと一体になって回転され、
前記連動ピンの前記操作リングとの連結が解除された状態において前記伝達ギヤが前記反転ギヤと噛合される
前記（６）に記載の光学素子駆動装置。
【０２４４】
（８）
前記連動体に前記反転ギヤと噛合された駆動ギヤが形成され、
前記伝達ギヤが前記反転ギヤと噛合された状態において前記操作リングの前記回転力が前記伝達ギヤと前記反転ギヤを介して前記連動体に伝達される
前記（６）又は前記（７）に記載の光学素子駆動装置。
【０２４５】
（９）
前記伝達ギヤが前記回転方向に延びる形状に形成され、
前記伝達ギヤが前記反転ギヤと噛合された状態において前記伝達ギヤが前記駆動ギヤの外側に位置される
前記（８）に記載の光学素子駆動装置。
【０２４６】
（１０）
前記光学素子は互いに反対の第１の方向と第２の方向への動作が可能とされ、
前記操作リングが第１の回転操作範囲において一方に回転されることにより前記光学素子が前記第１の方向へ動作されると共に他方に回転されることにより前記光学素子が前記第２の方向へ動作され、
前記操作リングが第２の回転操作範囲において一方に回転されることにより前記光学素子が前記第２の方向へ動作されると共に他方に回転されることにより前記光学素子が前記第１の方向へ動作される
前記（１）から前記（９）の何れかに記載の光学素子駆動装置。
【０２４７】
（１１）
前記操作リングには前記第１の回転操作範囲と前記第２の回転操作範囲を示す目盛りが前記回転方向において離隔した位置にそれぞれ付された
前記（１０）に記載の光学素子駆動装置。
【０２４８】
（１２）
前記操作リングは互いに反対の第１の回転方向と第２の回転方向への回転が可能とされ、
前記光学素子は互いに反対の第１の方向と第２の方向への動作が可能とされ、
前記切換機構によって第１の動作モードと第２の動作モードの切換が行われ、
前記第１の動作モードにおいて前記操作リングの前記第１の回転方向への回転時に前記光学素子が前記第１の方向へ動作されると共に前記操作リングの前記第２の回転方向への回転時に前記光学素子が前記第２の方向へ動作され、
前記第２の動作モードにおいて前記操作リングの前記第１の回転方向への回転時に前記光学素子が前記第２の方向へ動作されると共に前記操作リングの前記第２の回転方向への回転時に前記光学素子が前記第１の方向へ動作される
前記（１）に記載の光学素子駆動装置。
【０２４９】
（１３）
前記光学素子としてレンズ又はレンズ群が設けられ、
前記第１の動作モードとして動画の撮影状態が設定され、
前記第２の動作モードとして静止画の撮影状態が設定される
前記（１２）に記載の光学素子駆動装置。
【０２５０】
（１４）
手動による前記操作リングに対する回転操作によって前記光学素子が動作されるマニュアル状態と駆動モーターによる駆動力によって前記光学素子が動作されるオート状態との切換が可能にされ、
前記第１の動作モードと前記第２の動作モードを検出する検出部が設けられ、
前記検出部の検出結果に基づいて前記オート状態における前記光学素子の動作速度が制御される
前記（１２）又は前記（１３）に記載の光学素子駆動装置。
【０２５１】
（１５）
手動による前記操作リングに対する回転操作によって前記光学素子が動作されるマニュアル状態と駆動モーターによる駆動力によって前記光学素子が動作されるオート状態との切換が可能にされ、
前記光学素子としてズーミング用のレンズ又はレンズ群が設けられ、
前記第１の動作モードと前記第２の動作モードを検出する検出部が設けられ、
前記検出部の検出結果に基づいて前記オート状態における前記光学素子の動作速度に関し前記第１の動作モードが前記第２の動作モードより低下する制御が行われる
前記（１３）に記載の光学素子駆動装置。
【０２５２】
（１６）
手動による前記操作リングに対する回転操作によって前記光学素子が動作されるマニュアル状態と駆動モーターによる駆動力によって前記光学素子が動作されるオート状態との切換が可能にされ、
前記光学素子としてフォーカシング用のレンズ又はレンズ群が設けられ、
前記第１の動作モードと前記第２の動作モードを検出する検出部が設けられ、
前記検出部の検出結果に基づいて前記オート状態における前記光学素子の動作速度に関し前記第１の動作モードが前記第２の動作モードより低下する制御が行われる
前記（１３）に記載の光学素子駆動装置。
【０２５３】
（１７）
手動による前記操作リングに対する回転操作によって前記光学素子が動作されるマニュアル状態と駆動モーターによる駆動力によって前記光学素子が動作されるオート状態との切換が可能にされ、
前記光学素子としてアイリス羽根が設けられ、
前記第１の動作モードと前記第２の動作モードを検出する検出部が設けられ、
前記検出部の検出結果に基づいて前記オート状態における前記光学素子の動作速度に関し前記第１の動作モードが前記第２の動作モードより低下する制御が行われる
前記（１３）に記載の光学素子駆動装置。
【０２５４】
（１８）
前記連動体に前記第１の動作モードにおいて前記光学素子を動作させる第１の動作部と前記第２の動作モードにおいて前記光学素子を動作させる第２の動作部とが形成された
前記（１２）から前記（１７）の何れかに記載の光学素子駆動装置。
【０２５５】
（１９）
前記連動体として前記操作リングと同じ方向へ回転されるカム環が設けられ、
前記第１の動作部と前記第２の動作部が前記連動体の回転方向に離隔して対称な形状に形成された
前記（１８）に記載の光学素子駆動装置。
【０２５６】
（２０）
筒状の筐体の内部に光学素子の駆動を行う光学素子駆動装置が配置され、
前記光学素子駆動装置は、
回転操作される操作リングの回転力によって動作されると共に前記操作リングの回転力を前記光学素子に伝達して前記光学素子を動作させる連動体を備え、
少なくとも前記連動体に前記操作リングの回転方向に対する前記光学素子の動作方向を切り換える切換機構が設けられた
交換レンズ。
【０２５７】
（２１）
光学素子の駆動を行う光学素子駆動装置と光学系を介して取り込まれた光学像を電気的信号に変換する撮像素子とを備え、
前記光学素子駆動装置は、
回転操作される操作リングの回転力によって動作されると共に前記操作リングの回転力を前記光学素子に伝達して前記光学素子を動作させる連動体を備え、
少なくとも前記連動体に前記操作リングの回転方向に対する前記光学素子の動作方向を切り換える切換機構が設けられた
撮像装置。
【符号の説明】
【０２５８】
１００…撮像装置、２０４…撮像素子、３００…交換レンズ、３０２…第１の操作リング、３０３…第２の操作リング、３０４…第３の操作リング、３０５…筐体、３０８…光学素子、１…光学素子駆動装置、２…固定体、３…連動体、９…反転ギヤ、１０…外側リング、１０ａ…カムピン、１１…内側リング、１４…モード変更スイッチ、１５…カム溝、１８…伝達ギヤ、２０…連動ピン、２１…駆動ギヤ、２２…検出部、３３３…第２の操作リング、３１…光学素子駆動装置、３２…固定体、３３…連動体、６０ａ…第１の動作部、６０ｃ…第２の動作部、４４…モード変更スイッチ、８７…レンズ群
【図１】
2018047460.tif 000003
【図２】
2018047460.tif 000004
【図３】
2018047460.tif 000005
【図４】
2018047460.tif 000006
【図５】
2018047460.tif 000007
【図６】
2018047460.tif 000008
【図７】
2018047460.tif 000009
【図８】
2018047460.tif 000010
【図９】
2018047460.tif 000011
【図１０】
2018047460.tif 000012
【図１１】
2018047460.tif 000013
【図１２】
2018047460.tif 000014
【図１３】
2018047460.tif 000015
【図１４】
2018047460.tif 000016
【図１５】
2018047460.tif 000017
【図１６】
2018047460.tif 000018
【図１７】
2018047460.tif 000019
【図１８】
2018047460.tif 000020
【図１９】
2018047460.tif 000021
【図２０】
2018047460.tif 000022
【図２１】
2018047460.tif 000023
【図２２】
2018047460.tif 000024
【図２３】
2018047460.tif 000025
【図２４】
2018047460.tif 000026
【図２５】
2018047460.tif 000027
【図２６】
2018047460.tif 000028
【図２７】
2018047460.tif 000029
【国際調査報告】
2018047460.tif 000030
2018047460.tif 000031
2018047460.tif 000032
2018047460.tif 000033